(57)【要約】【課題】特別な設備なしに、基地局の回線が切断等の障害が生じても通信サービスを継続できる無線通信システムおよび固定無線装置を提供すること。【解決手段】ネットワーク２０に接続された複数の基地局１０を備える無線通信システムにおいて、何れかの基地局１０がネットワーク２０との間の回線が不能になったとき、回線が不能になった基地局１０Ａは、周辺に基地局１０Ｃがある場合、レピータとして動作し、周辺の基地局Ｃ、Ｂに応じて送受信を調整するように構成する。【選択図】図１
2013153243.tif 000002
【特許請求の範囲】
【請求項１】
ネットワークに接続された複数の基地局を備える無線通信システムにおいて、
何れかの前記基地局が前記ネットワークとの間の回線が不能になったとき、回線が不能になった基地局は、
周辺に基地局がある場合、レピータとして動作し、
周辺の基地局に応じて送受信を調整することを特徴とする無線通信システム。
【請求項２】
前記無線通信システムは、時分割多重の通信方式を用いており、前記回線が不能になった基地局は、周辺の基地局に応じてタイムスロットの送受信のタイミングを調整することを特徴とする請求項１に記載の無線通信システム。
【請求項３】
ネットワークに接続された基地局において、
前記ネットワークとの間の回線が不能になったとき、
周辺に基地局がある場合、レピータとして動作し、周辺の基地局に応じて送受信を調整することを特徴とする基地局。
【発明の詳細な説明】
【技術分野】
【０００１】
本発明は、無線通信システムおよび固定無線装置に関する。
【背景技術】
【０００２】
従来の携帯電話システムなどの移動無線通信システムで用いられる基地局は、リモート基地局も含め通常無人化されている。このため、基地局の監視制御は、監視制御用の専用回線を用いるか、あるいは主信号に監視制御信号を多重して、主信号用の同軸ケーブルまたは光ファイバ等の回線を通じて、ネットワークを管理する集中監視制御局で集中監視される。したがって、上記回線が切断される等して基地局と集中監視制御局との間で通信が行えなくなった場合、基地局は、集中監視局から監視や制御ができなくなり、さらに、切断された回線を使用していた無線端末は、相手先の通信が途絶えてしまう。
【０００３】
そこで、監視や制御ができなくなった基地局と、その周りにある正常な基地局との間で、無線による通信を行い、基地局間に監視制御パスを構築しようとするものが知られている（例えば、特許文献１参照）。
【先行技術文献】
【特許文献】
【０００４】
【特許文献１】特開２００２−３４５０３１公報
【発明の概要】
【発明が解決しようとする課題】
【０００５】
しかしながら、この手法では、本来、基地局が備える無線部が基地局同士で送信周波数帯と受信周波数帯とが同一であるため、基地局間で無線による通信を行えない。このため、基地局間で無線通信を行うために専用の無線部を設ける必要があるという問題があった。
【０００６】
本発明は、上述した事情に鑑みてなされたものであり、特別な設備なしに、基地局の回線が切断等の障害が生じても通信サービスを継続できる無線通信システムおよび固定無線装置を提供することを目的とする。
【課題を解決するための手段】
【０００７】
本発明の無線通信システムは、ネットワークに接続された複数の基地局を備える無線通信システムにおいて、何れかの前記基地局が前記ネットワークとの間の回線が不能になったとき、回線が不能になった基地局は、周辺に基地局がある場合、レピータとして動作し、周辺の基地局に応じて送受信を調整する構成を有している。
【０００８】
本発明の無線通信システムは、時分割多重の通信方式を用いており、前記回線が不能になった基地局は、周辺の基地局に応じてタイムスロットの送受信のタイミングを調整する。
【発明の効果】
【０００９】
本発明の基地局は、基地局の回線が切断等の障害が生じても通信サービスを継続できる無線通信システムおよび固定無線装置を提供することができる。
【図面の簡単な説明】
【００１０】
【図１】本発明の一実施形態に係る無線通信システムの構成図である。
【図２】図１に示した基地局の機能ブロック図である。
【図３】本実施の形態に係る基地局の制御部の動作のフローチャートである。
【図４】本実施の形態に係る基地局の送受信タイミングを示す図である。
【図５】本発明の他の実施形態に係る無線通信システムの構成図である。
【発明を実施するための形態】
【００１１】
以下、図面を参照して、本発明の実施形態について説明する。
【００１２】
図１は、本発明の一実施形態に係る無線通信システムの構成図である。基地局１０Ａ〜１０Ｃは、ネットワーク２０に接続されている。端末３０は、何れの基地局１０を用いても通信できる。
【００１３】
図１（Ａ）に示すように、例えば、災害が発生したとして、基地局１０Ａおよび基地局１０Ｂとネットワーク２０との間の回線が切断されたとする、すなわち通信不能になったとする。基地局１０Ｃは、通常通り無線通信サービスを運用している。
【００１４】
このとき、図１（Ｂ）に示すように、基地局１０Ａおよび基地局１０Ｂは、レピータ局として動作する。基地局１０Ｃは、端末３０および基地局１０Ａと通信するようになる。基地局１０Ａは、端末３０および基地局１０Ｃおよび基地局１０Ｂと通信するようになる。基地局１０Ｂは、端末３０および基地局１０Ａと通信するようになる。
【００１５】
図２は、図１に示した基地局の機能ブロック図である。この基地局１０は、制御部１１、無線部１４、変復調部１５、および記憶部１６によって構成される。なお、アンテナ等は、図示を省略している。
【００１６】
制御部１１は、無線部１４で受信した信号の品質等を記憶部１６に記憶する。無線部１４は、相手通信装置と通信するようになっている。変復調部１５、送受信する信号の変復調を行うようになっている。
【００１７】
制御部１１は、回線状態検出部１２およびレピータ動作部１３によって構成される。回線状態検出部１２は、ネットワーク２０との間の回線の状態を検出するようになっている。レピータ動作部１３は、ネットワーク２０の回線が故障した場合、レピータ局として動作するようになっている。
【００１８】
以下、本実施の形態に係る基地局１０の制御部の動作について図３を用いて説明する。
【００１９】
制御部１１の回線状態検出部１２は、ネットワーク２０との間の回線の切断を検出したとする（ステップＳ１）。ここで、制御部１１は、基地局としてのサービスは停止し（ステップＳ２）、レピータ動作部１３は、レピータ局として動作の準備を開始する（ステップＳ３）。
【００２０】
レピータ動作部１３は、周囲に運用している基地局１０の有無を探索する（ステップＳ４）。運用している基地局１０があった場合、レピータ局の動作の開始を決定する（ステップＳ５）。例えば、図１に示したように、基地局Ａは、基地局１０Ｃを発見してレピータ局の動作を開始する。
【００２１】
レピータ動作部１３は、運用している基地局１０との無線同期を実施し（ステップＳ６）、周辺局にレピータ動作開始を報知し（ステップＳ７）、レピータ局の動作を開始する（ステップＳ８）。
【００２２】
例えば、図４に示すように、図１に示した基地局１０は、回線以上になる前の正常時に、それぞれ同期をとって、タイムスロットの送受信を行っている。ここで、回線異常になったとき、図１に示した基地局１０Ａはレピータとして動作する為、端末３０と同じ送受信タイミングで動作する。基地局１０Ａは、基地局１０Ｃと無線同期を行い、送受信のタイミング調整を行う（図４Ｂを参照）。基地局１０Ａは、基地局１０Ｃと同期後、周辺の基地局に対して、ＣＣＨ等を使用し、レピータとして動作することを通知する。その後、レピータとして動作する。
【００２３】
運用している基地局１０が無い場合、レピータ動作部１３は、周囲に運用しているレピータ局の有無を探索する（ステップＳ９）。レピータ局の探索は、レピータ局からの通知の受信にて行う。
【００２４】
運用しているレピータ局があった場合、レピータ動作部１３は、レピータ局の動作を開始する（ステップＳ１０）。例えば、図１に示したように、基地局Ｂは、レピータ局（基地局１０Ａ）を発見してレピータ局の動作を開始する。運用しているレピータ局が無い場合、レピータ動作部１３は、レピータ局からの通知を待機する（ステップＳ１１）。
【００２５】
この例では、レピータ基地局が１局（基地局１０Ａ）、レピータ局を使用するサービス局（基地局１０Ｂ）、１局の構成であるが、図５に示すように、両方とも複数の構成をとることもできる。
【００２６】
以上説明したように、本発明の一実施形態に係る基地局は、通常、回線断となった基地局はサービスができないが、同様に回線断となった基地局がレピータになって、周辺の基地局に応じて送受信を調整することで、特別な設備なしに、基地局の回線が切断等の障害が生じても通信サービスを継続できる。
【００２７】
また、図５に示すように、場合によっては、レピータ局となった基地局が２次局／３次局・・・ｎ次局となることも可能である。例えば、レピータ局にぶら下がったサービス局（基地局１０Ｂ）と通信する端末３０は、伝送レートは１／３以下となる（基地局１０Ｂ−基地局１０Ｃ間のレピータ数が増えるほど、伝送レートは下がる）ため、音声通話よりもパケット通信が適している（災害発生時を想定すれば、メール等のパケット通信のみでも安否確認などは可能である）。
【符号の説明】
【００２８】
１０  基地局
１１  制御部
１２  回線状態検出部
１３  レピータ動作部
１４  無線部
１５  変復調部
１６  記憶部
２０  ネットワーク
３０  端末
【図１】
2013153243.tif 000003
【図２】
2013153243.tif 000004
【図３】
2013153243.tif 000005
【図４】
2013153243.tif 000006
【図５】
2013153243.tif 000007